(57)【要約】【課題】ユーザにとって簡易な選曲操作を実現することを課題とする。【解決手段】コンテンツ再生装置から一時的な再生要求を受信した携帯端末は、現に再生準備されている楽曲データ（例えば、楽曲Ａ）を一時的に再生して、再生完了応答をコンテンツ再生装置に送信する。コンテンツ再生装置は、トラック名を含んだ楽曲情報の取得要求を携帯端末に送信し、携帯端末から受信した楽曲情報の中からトラック名を取得し、取得したトラック名に割り当てられている楽曲リスト上のトラック番号と、ユーザにより選択されたトラック名に割り当てられている楽曲リスト上のトラック番号とを比較して、曲送りまたは曲戻り回数を算出する。【選択図】        図１
2010191111.tif 000002
【特許請求の範囲】
【請求項１】
無線接続された携帯端末から、当該携帯端末が記憶しているコンテンツのコンテンツリストを取得するリスト取得手段と、
前記リスト取得手段により取得された前記コンテンツリストの中から、再生要求コンテンツの選択をユーザから受け付ける選択受付手段と、
前記携帯端末において特定されているコンテンツを特定する特定手段と、
前記選択受付手段により受け付けられた前記再生要求コンテンツを示す前記コンテンツリスト上の位置と、前記特定手段により特定されたコンテンツを示す前記コンテンツリスト上の位置との比較から、前記再生要求コンテンツに至るまでのコンテンツの送りまたは戻りの回数を算出する算出手段と、
前記算出手段により算出された前記回数分だけコンテンツの送りまたは戻りを実行するように前記携帯端末に指示するコマンドを送信するコマンド送信手段と、
前記再生要求コンテンツの再生要求を前記携帯端末に送信する再生要求送信手段と
を備えたことを特徴とするコンテンツ再生装置。
【請求項２】
前記再生要求送信手段により送信された前記再生要求コンテンツの再生要求に応じて、当該再生要求コンテンツの再生データが出力可能となるまで、コンテンツの音声出力状態をミュート状態とするコンテンツ出力制御手段をさらに備えたことを特徴とする請求項１に記載のコンテンツ再生装置。
【請求項３】
前記コンテンツリストの最上部に記述されたコンテンツから順に若い番号をコンテンツリスト上の位置を示す情報として番号を割り当て、
前記算出手段は、前記選択受付手段により受け付けられた前記再生要求コンテンツを示す番号から、前記特定手段により特定されたコンテンツを示す番号を減算した減算値を算出し、
前記コマンド送信手段は、前記算出手段により算出された減算値が正の値である場合には、当該減算値が示す回数分だけコンテンツの送りを実行するように指示するコマンドを前記携帯端末に送信し、前記算出手段により算出された減算値が負の値である場合には、当該減算値が示す回数分だけコンテンツの戻りを実行するように指示するコマンドを前記携帯端末に送信することを特徴とする請求項１または２に記載のコンテンツ再生装置。
【請求項４】
無線接続された携帯端末から、当該携帯端末が記憶しているコンテンツのコンテンツリストを取得するリスト取得ステップと、
前記リスト取得ステップにより取得された前記コンテンツリストの中から、再生要求コンテンツの選択をユーザから受け付ける選択受付ステップと、
前記携帯端末において特定されているコンテンツを特定する特定ステップと、
前記選択受付ステップにより受け付けられた前記再生要求コンテンツを示す前記コンテンツリスト上の位置と、前記特定ステップにより特定されたコンテンツを示す前記コンテンツリスト上の位置との比較から、前記再生要求コンテンツに至るまでのコンテンツの送りまたは戻りの回数を算出する算出ステップと、
前記算出ステップにより算出された前記回数分だけコンテンツの送りまたは戻りを実行するように前記携帯端末に指示するコマンドを送信するコマンド送信ステップと、
前記再生要求コンテンツの再生要求を前記携帯端末に送信する再生要求送信ステップと
を含んだことを特徴とするコンテンツ再生方法。
【請求項５】
前記再生要求送信ステップにより送信された前記再生要求コンテンツの再生要求に応じて、当該再生要求コンテンツの再生データが出力可能となるまで、コンテンツの音声出力状態をミュート状態とするコンテンツ出力制御ステップをさらに含んだことを特徴とする請求項４に記載のコンテンツ再生方法。
【請求項６】
前記コンテンツリストの最上部に記述されたコンテンツから順に若い番号をコンテンツリスト上の位置を示す情報として番号を割り当て、
前記算出ステップは、前記選択受付ステップにより受け付けられた前記再生要求コンテンツを示す番号から、前記特定ステップにより特定されたコンテンツを示す番号を減算した減算値を算出し、
前記コマンド送信ステップは、前記算出ステップにより算出された減算値が正の値である場合には、当該減算値が示す回数分だけコンテンツの送りを実行するように指示するコマンドを前記携帯端末に送信し、前記算出ステップにより算出された減算値が負の値である場合には、当該減算値が示す回数分だけコンテンツの戻りを実行するように指示するコマンドを前記携帯端末に送信することを特徴とする請求項４または５に記載のコンテンツ再生方法。
【請求項７】
コンテンツを記憶する携帯端末と無線接続したコンテンツ再生装置は、
無線接続された携帯端末から、当該携帯端末が記憶しているコンテンツのコンテンツリストを取得するリスト取得手段と、
前記リスト取得手段により取得された前記コンテンツリストの中から、再生要求コンテンツの選択をユーザから受け付ける選択受付手段と、
前記携帯端末において特定されているコンテンツを特定する特定手段と、
前記選択受付手段により受け付けられた前記再生要求コンテンツを示す前記コンテンツリスト上の位置と、前記特定手段により特定されたコンテンツを示す前記コンテンツリスト上の位置との比較から、前記再生要求コンテンツに至るまでのコンテンツの送りまたは戻りの回数を算出する算出手段と、
前記算出手段により算出された前記回数分だけコンテンツの送りまたは戻りを実行するように前記携帯端末に指示するコマンドを送信するコマンド送信手段と、
前記再生要求コンテンツの再生要求を前記携帯端末に送信する再生要求送信手段と
を備え、
前記コンテンツ再生装置と無線接続された携帯端末は、
前記コンテンツ再生装置からコンテンツリストの取得要求を受信すると、コンテンツリストを前記コンテンツ再生装置に送信するリスト送信手段と、
前記リスト所定のコンテンツを特定するコンテンツ情報を前記コンテンツ再生装置に送信するコンテンツ情報送信手段と、
前記コンテンツ再生装置から受信するコマンドに従って、当該コマンドに指示された回数分だけコンテンツの送りまたは戻りを実行するコマンド実行手段と
を備えたことを特徴とするコンテンツ再生システム。
【発明の詳細な説明】
【技術分野】
【０００１】
この発明は、コンテンツ再生装置、コンテンツ再生方法およびコンテンツ再生システムに関する。
【背景技術】
【０００２】
近年、車両などに搭載される無線対応の楽曲再生機器では、所定のプロファイルを使用して音楽コンテンツを蓄積する携帯端末と無線接続した後、トラック名（楽曲名）やアーティスト名などのメタデータの表示、トラックのアップ／ダウン、再生、停止、早送りや巻戻しなどの操作を実行可能とした技術が提案されている（例えば、特許文献１参照）。
【先行技術文献】
【特許文献】
【０００３】
【特許文献１】特開２００３−２８８０８９号公報
【発明の概要】
【発明が解決しようとする課題】
【０００４】
しかしながら、上記した従来の技術において、ユーザが所望の曲を選曲しようとする場合には、トラックアップ／ダウンの操作により選曲を行うしかないので、聞きたい曲にたどり着くまでトラックアップ／ダウンの操作を繰り返し実行する必要があり、ユーザにとって不便であるという問題点があった。
【０００５】
そこで、この発明は、上述した従来技術の課題を解決するためになされたものであり、ユーザにとって簡易な選曲操作を実現することが可能なコンテンツ再生装置、コンテンツ再生方法およびコンテンツ再生システムを提供することを目的とする。
【課題を解決するための手段】
【０００６】
上述した課題を解決し、目的を達成するため、本発明は、無線接続された携帯端末から、当該携帯端末が記憶しているコンテンツのコンテンツリストを取得するリスト取得手段と、前記リスト取得手段により取得された前記コンテンツリストの中から、再生要求コンテンツの選択をユーザから受け付ける選択受付手段と、前記携帯端末において特定されているコンテンツを特定する特定手段と、前記選択受付手段により受け付けられた前記再生要求コンテンツを示す前記コンテンツリスト上の位置と、前記特定手段により特定されたコンテンツを示す前記コンテンツリスト上の位置との比較から、前記再生要求コンテンツに至るまでのコンテンツの送りまたは戻りの回数を算出する算出手段と、前記算出手段により算出された前記回数分だけコンテンツの送りまたは戻りを実行するように前記携帯端末に指示するコマンドを送信するコマンド送信手段と、前記再生要求コンテンツの再生要求を前記携帯端末に送信する再生要求送信手段とを備えたことを特徴とする。
【０００７】
また、本発明は、無線接続された携帯端末から、当該携帯端末が記憶しているコンテンツのコンテンツリストを取得するリスト取得ステップと、前記リスト取得ステップにより取得された前記コンテンツリストの中から、再生要求コンテンツの選択をユーザから受け付ける選択受付ステップと、前記携帯端末において特定されているコンテンツを特定する特定ステップと、前記選択受付ステップにより受け付けられた前記再生要求コンテンツを示す前記コンテンツリスト上の位置と、前記特定ステップにより特定されたコンテンツを示す前記コンテンツリスト上の位置との比較から、前記再生要求コンテンツに至るまでのコンテンツの送りまたは戻りの回数を算出する算出ステップと、前記算出ステップにより算出された前記回数分だけコンテンツの送りまたは戻りを実行するように前記携帯端末に指示するコマンドを送信するコマンド送信ステップと、前記再生要求コンテンツの再生要求を前記携帯端末に送信する再生要求送信ステップとを含んだことを特徴とするを含んだことを特徴とする。
【０００８】
また、本発明は、ブルートゥース（登録商標）の規格に基づいて無線接続された携帯端末から、無線接続された携帯端末から、当該携帯端末が記憶しているコンテンツのコンテンツリストを取得するリスト取得手段と、前記リスト取得手段により取得された前記コンテンツリストの中から、再生要求コンテンツの選択をユーザから受け付ける選択受付手段と、前記携帯端末において特定されているコンテンツを特定する特定手段と、前記選択受付手段により受け付けられた前記再生要求コンテンツを示す前記コンテンツリスト上の位置と、前記特定手段により特定されたコンテンツを示す前記コンテンツリスト上の位置との比較から、前記再生要求コンテンツに至るまでのコンテンツの送りまたは戻りの回数を算出する算出手段と、前記算出手段により算出された前記回数分だけコンテンツの送りまたは戻りを実行するように前記携帯端末に指示するコマンドを送信するコマンド送信手段と、前記再生要求コンテンツの再生要求を前記携帯端末に送信する再生要求送信手段とを備えたことを特徴とする。
【０００９】
また、本発明は、以下の手段を備えたことを特徴とする。すなわち、コンテンツを記憶する携帯端末と無線接続したコンテンツ再生装置は、無線接続された携帯端末から、当該携帯端末が記憶しているコンテンツのコンテンツリストを取得するリスト取得手段と、前記リスト取得手段により取得された前記コンテンツリストの中から、再生要求コンテンツの選択をユーザから受け付ける選択受付手段と、前記携帯端末において特定されているコンテンツを特定する特定手段と、前記選択受付手段により受け付けられた前記再生要求コンテンツを示す前記コンテンツリスト上の位置と、前記特定手段により特定されたコンテンツを示す前記コンテンツリスト上の位置との比較から、前記再生要求コンテンツに至るまでのコンテンツの送りまたは戻りの回数を算出する算出手段と、前記算出手段により算出された前記回数分だけコンテンツの送りまたは戻りを実行するように前記携帯端末に指示するコマンドを送信するコマンド送信手段と、前記再生要求コンテンツの再生要求を前記携帯端末に送信する再生要求送信手段とを備える。また、前記コンテンツ再生装置と無線接続された携帯端末は、前記コンテンツ再生装置からコンテンツリストの取得要求を受信すると、コンテンツリストを前記コンテンツ再生装置に送信するリスト送信手段と、前記リスト所定のコンテンツを特定するコンテンツ情報を前記コンテンツ再生装置に送信するコンテンツ情報送信手段と、前記コンテンツ再生装置から受信するコマンドに従って、当該コマンドに指示された回数分だけコンテンツの送りまたは戻りを実行するコマンド実行手段とを備える。
【発明の効果】
【００１０】
本発明によれば、ユーザにとって簡易な選曲操作を実現できる。
【図面の簡単な説明】
【００１１】
【図１】図１は、実施例１に係るコンテンツ再生装置の概要および特徴を説明するための図である。
【図２】図２は、実施例１に係るコンテンツ再生装置の構成を示す図である。
【図３】図３は、実施例１に係る楽曲リストの構成例を示す図である。
【図４】図４は、実施例１に係るオーディオ初期画面の構成例を示す図である。
【図５】図５は、実施例１に係るオーディオ画面（再生時）の構成例を示す図である。
【図６】図６は、実施例１に係る楽曲リスト取得処理の流れを示す図である。
【図７】図７は、実施例１に係る選択トラック再生処理の流れを示す図である。
【発明を実施するための形態】
【００１２】
以下に添付図面を参照して、この発明に係るコンテンツ再生装置、コンテンツ再生方法およびコンテンツ再生システムの実施形態を詳細に説明する。なお、以下では、本発明に係るコンテンツ再生装置の一実施形態として実施例１を説明した後、本発明に含まれる他の実施形態を説明する。
【実施例１】
【００１３】
以下の実施例１では、実施例１に係るコンテンツ再生装置の概要および特徴、かかるコンテンツ再生装置の構成および処理を順に説明し、最後に実施例１による効果を説明する。
【００１４】
［コンテンツ再生装置の概要および特徴（実施例１）］
まず、図１を用いて、実施例１に係るコンテンツ再生装置の概要および特徴を説明する。図１は、実施例１に係るコンテンツ再生装置の概要および特徴を説明するための図である。
【００１５】
実施例１に係るコンテンツ再生装置は、車両などに搭載され、例えば、Bluetooth（ブルートゥース：登録商標）などの規格に基づいて無線接続した携帯端末から、携帯端末上で処理されている楽曲再生データを取得してスピーカから出力するとともに、トラック名やアーティスト名などの楽曲情報をディスプレイに表示することを概要とする。そして、実施例１に係るコンテンツ再生装置は、ユーザにとって簡易な選曲操作を実現できる点に主たる特徴がある。
【００１６】
この主たる特徴について具体的に説明すると、コンテンツ再生装置は、携帯端末において再生可能な状態にある楽曲データが列挙された楽曲リストを携帯端末から取得しておき、図１に示すように、ユーザからの指示に応じて楽曲リストを表示する。
【００１７】
そして、コンテンツ再生装置は、楽曲リスト上に記述されたトラック（例えば、「３：楽曲Ｃ」）の選択をユーザから受け付けると（図１の（１）参照）、特定されている楽曲データ、すなわち、現に再生準備されている楽曲データの一時的な再生要求（一瞬だけの再生要求）を携帯端末に送信する（図１の（２）参照）。
【００１８】
コンテンツ再生装置から一時的な再生要求を受信した携帯端末は、現に再生準備されている楽曲データ（例えば、楽曲Ａ）を一時的に再生して（図１の（３）参照）、再生終了後、再生完了応答をコンテンツ再生装置に送信する（図１の（４）参照）。再生完了応答を受信すると、コンテンツ再生装置は、トラック名を含んだ楽曲情報の取得要求を携帯端末に送信する（図１の（５）参照）。楽曲情報の取得要求を受信すると、携帯端末は、コンテンツ再生装置から要求に応じて、先ほど一時的に再生した楽曲データに対応する楽曲情報をコンテンツ再生装置に送信する（図１の（６）参照）。
【００１９】
コンテンツ再生装置は、ユーザにより選択されたコンテンツのコンテンツリスト上の位置と、特定されているコンテンツのコンテンツリスト上の位置との比較から、ユーザにより選択されたコンテンツに至るまでのコンテンツの送りまたは戻りの回数を算出する。すなわち、携帯端末から受信した楽曲情報の中からトラック名を取得し（図１の（７）参照）、取得したトラック名に割り当てられている楽曲リスト上のトラック番号（楽曲Ａ→「１番」）と、ユーザにより選択されたトラック名に割り当てられている楽曲リスト上のトラック番号（楽曲Ｃ→「３番」）とを比較して、曲送りまたは曲戻り回数を算出する（図１の（８）参照）。そして、コンテンツ再生装置は、算出された回数分だけ曲送りまたは曲戻りを実行させるように、携帯端末にコマンドを送信する（図１の（９）参照）。例えば、図１に示す場合では、２回曲送りを実行させるためのコマンドを携帯端末に送信することとなる。
【００２０】
携帯端末は、コンテンツ再生装置から受信するコマンドに応じて、曲送りまたは曲戻りを実行して、曲送りまたは曲戻りが完了すると、コマンド完了応答をコンテンツ再生装置に送信する（図１の（１０）参照）。コンテンツ再生装置は、コマンド完了応答を携帯端末から受信すると、携帯端末１００においてユーザ選択トラックが現に再生準備された状態にあるはずなので、再生要求を携帯端末に送信する（図１の（１１）参照）。携帯端末は、コンテンツ再生装置から再生要求を受信すると、現に再生準備されている楽曲データを再生し（図１の（１２）参照）、楽曲再生データおよび対応する楽曲情報をコンテンツ再生装置に送信する（図１の（１３）参照）。
【００２１】
コンテンツ再生装置は、楽曲データおよび楽曲情報を携帯端末から受信すると、楽曲データをスピーカから出力するとともに、オーディオ画面内に楽曲情報（トラック名やアーティスト名）を挿入してディスプレイに表示する（図１の（１４）参照）。
【００２２】
上述してきたようにして、実施例１に係るコンテンツ再生装置は、上述した主たる特徴のように、ユーザにとって簡易な選曲操作を実現できる。
【００２３】
［コンテンツ再生装置の構成（実施例１）］
次に、図２〜図５を用いて、実施例１に係るコンテンツ再生装置の構成を説明する。図２は、実施例１に係るコンテンツ再生装置の構成を示す図である。
【００２４】
同図に示すように、実施例１に係るコンテンツ再生装置２００は、車両内に持ち込まれた携帯端末１００と無線接続し、ディスプレイ３００やスピーカ４００などとともに車両に搭載される。
【００２５】
携帯端末１００は、Bluetooth（ブルートゥース：登録商標）などの規格に基づいて、コンテンツ再生装置２００との間で無線接続を確立し、確立された無線接続を介して、内部的に記憶する楽曲データや楽曲情報（トラック名やアーティスト名など）をやり取りする。携帯端末１００は、コンテンツ再生装置２００からの要求に応じて、楽曲リスト、再生完了応答、楽曲情報（一時的再生楽曲）、コマンド完了応答、再生データおよび楽曲情報（ユーザ選択トラック）を送信する。
【００２６】
また、携帯端末１００は、コンテンツ再生装置２００から楽曲データの再生要求を受信すると、現に再生準備された楽曲を再生して、再生データおよび対応する楽曲情報をコンテンツ再生装置２００に送信する。
【００２７】
ディスプレイ３００は、コンテンツ再生装置２００から入力する楽曲情報をオーディオ画面内の所定箇所に挿入して表示する。スピーカ４００は、コンテンツ再生装置２００から入力する楽曲再生データを外部に出力する。
【００２８】
コンテンツ再生装置２００は、図２に示すように、楽曲リスト記憶部２１０と、端末探索部２２０と、電波送信部２３０と、電波受信部２４０と、楽曲制御部２５０と、表示制御部２６０と、楽曲再生部２７０とを有する。
【００２９】
楽曲リスト記憶部２１０は、携帯端末１００から取得した楽曲リストを記憶する。楽曲リストは、例えば、図３に示すように、トラック番号（例えば、トラック１〜３）およびトラック名（例えば、楽曲Ａ〜Ｃ）で構成された複数のトラックを含む。なお、図３は、実施例１に係る楽曲リストの構成例を示す図である。
【００３０】
端末探索部２２０は、コンテンツ再生装置２００が起動されると、周囲に接続可能な端末が存在するか否かをスキャンすることにより、楽曲リストを有する携帯端末１００を探索する。端末探索部２２０は、例えば、携帯端末１００を探知すると、楽曲リストの取得指示を電波送信部２３０に出力する。
【００３１】
電波送信部２３０は、楽曲リストの取得指示を端末探索部２２０から入力すると、携帯端末１００との間にＳＰＰ（Serial Port Profile）接続を確立して、楽曲リストの取得要求を携帯端末１００に送信する。また、電波送信部２３０は、後述する楽曲制御部２５０からの指示に応じて、ＡＶＰ（Audio/Video Profile）接続を確立し、一時的再生要求、楽曲情報取得要求、曲送り／曲戻りコマンド、ユーザ選択トラック再生要求を携帯端末１００に送信する。
【００３２】
電波受信部２４０は、携帯端末１００から送信される楽曲リスト、ＡＶＰ接続応答、再生完了応答、楽曲情報（一時的再生楽曲）、コマンド完了応答、再生データおよび楽曲情報（ユーザ選択トラック）を楽曲制御部２５０に出力する。
【００３３】
表示制御部２６０は、ユーザによりオーディオが起動されると、ディスプレイ３００を介して、例えば、図４に示すようなオーディオ初期画面を表示出力する。そして、表示制御部２６０は、ディスプレイ３００に表示された「リスト表示」ボタンの選択入力をユーザから受け付けると、後述する楽曲制御部２５０に対して、楽曲リストの表示要求を出力する。後述する楽曲制御部２５０から楽曲リストを入力すると、表示制御部２６０は、例えば、オーディオ画面をポップダウンして楽曲リスト（図３参照）をディスプレイ３００に表示出力する。なお、図４は、実施例１に係るオーディオ初期画面の構成例を示す図である。
【００３４】
また、表示制御部２６０は、ディスプレイ３００に表示される楽曲リスト上に記述されたトラックの選択入力（例えば、トラック名：楽曲Ｃのトラック）をユーザから受け付けると、ユーザにより選択されたトラック名を後述する楽曲制御部２５０に出力する。また、表示制御部２６０は、後述する楽曲制御部２５０から再生データの楽曲情報を入力すると、例えば、図５に示すように、楽曲情報からトラック名（楽曲Ｃ）およびアーティスト名（ＹＹＹ）を取得して、オーディオ画面上の所定の箇所の挿入し、ディスプレイ３００に表示出力する。また、表示制御部２６０は、楽曲制御部２５０から入力する再生データの楽曲情報を入力して、楽曲のジャンルをさらに表示するようにしてもよい。なお、図５は、実施例１に係るオーディオ画面（再生時）の構成例を示す図である。
【００３５】
楽曲制御部２５０は、電波受信部２４０から楽曲リストを入力すると、楽曲リストを楽曲リスト記憶部２１０に登録する。また、楽曲制御部２５０は、後述する表示制御部２６０から楽曲リストの表示要求を入力すると、楽曲リスト記憶部２１０から楽曲リストを読込んで、表示制御部２６０に出力する。
【００３６】
また、楽曲制御部２５０は、後述する表示制御部２６０から、ユーザ選択により選択されたトラック名を入力すると、電波送信部２３０に対してＡＶＰ接続指示を出力する。そして、電波受信部２４０からＡＶＰ接続応答を入力すると、電波送信部２３０に対して一時的再生要求の送信指示を出力する。ここで、一時的再生要求とは、携帯端末１００において現に再生準備されている楽曲データを一時的に（一瞬の間だけ）再生するように要求するものである。
【００３７】
そして、楽曲制御部２５０は、電波受信部２４０から再生完了応答を入力すると、電波送信部２３０に対して楽曲情報取得要求の送信指示を出力する。この楽曲情報取得要求は、携帯端末１００において一時的に再生された楽曲データに対応する楽曲情報（トラック名など）を要求するものである。楽曲制御部２５０は、電波受信部２４０から入力した楽曲情報から、携帯端末１００において一時的に再生された楽曲データのトラック名を取得する。
【００３８】
トラック名の取得後、楽曲制御部２５０は、携帯端末１００から取得したトラック名に割り当てられている楽曲リスト上のトラック番号と、ユーザにより選択されたトラック名に割り当てられている楽曲リスト上のトラック番号とを比較して、曲送りまたは曲戻り回数を算出する。具体的には、楽曲制御部２５０は、ユーザにより選択されたトラック名に割り当てられている楽曲リスト上のトラック番号から、携帯端末１００から取得したトラック名に割り当てられている楽曲リスト上のトラック番号を減算する。そして、減算の結果得られる減算値が、正の値である場合には曲送りすべきものと判定するとともに、減算値の絶対値に対応する数を曲送り回数として算出する。一方、減算の結果得られる減算値が、負の値である場合には曲戻りすべきものと判定するとともに、減算値の絶対値に対応する数を曲戻り回数として算出する。また、上述した表示出力部２６０において、楽曲リストを表示する場合に、トラック名の他、アーティスト名、楽曲のジャンルを合わせて表示してユーザに提供することで、ユーザの選曲ミスの防止を図ることもできる。
【００３９】
例えば、携帯端末１００から取得したトラック名に割り当てられている楽曲リスト上のトラック番号が「楽曲Ａのトラック番号１」で、ユーザにより選択されたトラック名に割り当てられている楽曲リスト上のトラック番号が「楽曲Ｃのトラック番号３」である場合を例に挙げる。この場合、トラック番号「３」からトラック番号「１」を減算して得られる減算値「２」が正の値であるので、曲送りすべきものと判定し、減算値「２」の絶対値に対応する数「２」回を曲送り回数として算出する。
【００４０】
なお、曲送りまたは曲戻り回数の算出方法は、上述したものに限られるものではなく、携帯端末１００から取得したトラック名、およびユーザにより選択されたトラック名の楽曲リスト上の位置関係から、簡易に算出してもよい。
【００４１】
曲送りまたは曲戻り回数の算出後、楽曲制御部２５０は、電波送信部２３０に対して、算出された回数分だけ携帯端末１００に曲送りまたは曲戻りを実行させるための曲送り／曲戻りコマンドの送信指示を出力する。電波受信部２４０からコマンド完了応答を入力すると、楽曲制御部２５０は、携帯端末１００に実行させる曲送りまたは曲戻りに必要な回数分だけコマンドを送信したか否かを判定する。判定の結果、必要な回数分コマンドを送信している場合には、携帯端末１００においてユーザ選択トラックが現に再生準備された状態にあるはずなので、電波送信部２３０に対して楽曲データの再生要求送信指示を出力する。
【００４２】
なお、携帯端末１００において所定回数の曲送りまたは曲戻りを一度に実行可能である場合には、楽曲制御部２５０は、曲送りまたは曲戻りを実行させる回数とともに曲送り／戻りコマンドを携帯端末１００に送信するようにすることもできる。
【００４３】
楽曲制御部２５０は、携帯端末１００において再生されている楽曲の再生データ、および対応する楽曲情報を電波受信部２４０から入力すると、楽曲再生部２７０に再生データを出力すると同時に、楽曲情報を表示制御部２６０に出力する。そして、楽曲制御部２５０は、楽曲情報からトラック名を取得して、ユーザ選択トラックのトラック名と一致するか否かを確認した後、楽曲再生部２７０にミュート解除指示を出力する。
【００４４】
楽曲再生部２７０は、楽曲制御部２５０から再生データを入力すると、ミュート解除指示があるまでミュート状態で待機する。そして、楽曲制御部２５０からミュート解除指示を入力すると、スピーカを介して、楽曲制御部２５０から入力していた再生データを出力する。
【００４５】
［コンテンツ再生装置による処理（実施例１）］
続いて、図６および図７を用いて、実施例１に係るコンテンツ再生装置による処理の流れを説明する。図６は、実施例１に係る楽曲リスト取得処理の流れを示す図である。図７は、実施例１に係る選択トラック再生処理の流れを示す図である。
【００４６】
［楽曲リスト取得処理］
まず、図６を参照しつつ、実施例１に係る楽曲リスト取得処理の流れを説明する。同図に示すように、コンテンツ再生装置２００の端末探索部２２０は、接続可能な端末を探索する（ステップＳ１）。そして、探索の結果、端末探索部２２０により携帯端末１００が探知されると、コンテンツ再生装置２００の電波送信部２３０は、携帯端末１００との間にＳＰＰ（Serial Port Profile）接続を確立して、楽曲リストの取得要求を携帯端末１００に送信する（ステップＳ２）。
【００４７】
携帯端末１００は、コンテンツ再生装置２００から楽曲リストの取得要求を受信すると（ステップＳ３）、携帯端末１００において再生可能な状態にある楽曲データが列挙された楽曲リストをコンテンツ再生装置２００に送信する（ステップＳ４）。そして、携帯端末１００は処理を終了する。
【００４８】
コンテンツ再生装置２００の電波受信部２４０は、携帯端末１００から楽曲リストを受信すると（ステップＳ５）、受信した楽曲リストをコンテンツ再生装置２００の楽曲制御部２５０に出力し、楽曲制御部２５０は、電波受信部２４０から入力した楽曲リストを楽曲リスト記憶部２１０に登録する（ステップＳ６）。そして、コンテンツ再生装置２００は処理を終了する。
【００４９】
［選択トラック再生処理］
次に、図７を参照しつつ、実施例１に係る選択トラック再生処理の流れを説明する。同図に示すように、コンテンツ再生装置２００の表示制御部２６０は、ディスプレイ３００に表示される楽曲リスト上に記述されたトラックの選択入力をユーザから受け付けると（ステップＳ１）、ユーザにより選択されたトラック名をコンテンツ再生装置２００の楽曲制御部２５０に出力する。
【００５０】
楽曲制御部２５０は、ユーザ選択により選択されたトラック名を表示制御部２６０から入力すると、コンテンツ再生装置２００の電波送信部２３０に対してＡＶＰ接続指示を出力し、電波送信部２３０は、楽曲制御部２５０からの指示に応じて、ＡＶＰ接続要求を携帯端末１００に送信する（ステップＳ２）。
【００５１】
携帯端末１００は、コンテンツ再生装置２００からＡＶＰ接続要求を受信すると、ＡＶＰ接続を確立した後、ＡＶＰ接続応答をコンテンツ再生装置２００に送信する（ステップＳ３）。
【００５２】
コンテンツ再生装置２００の電波受信部２４０は、携帯端末１００からＡＶＰ接続応答を受信すると、楽曲制御部２５０にＡＶＰ接続応答を出力する。電波受信部２３０からＡＶＰ接続応答を入力した楽曲制御部２５０は、電波送信部２３０に対して一時的再生要求の送信指示を出力する。電波送信部２３０は、楽曲制御部２５０からの指示に応じて、一時的再生要求を携帯端末１００に送信する（ステップＳ４）。
【００５３】
携帯端末１００は、コンテンツ再生装置２００から一時的な再生要求を受信すると、現に再生準備されている楽曲データを一時的に再生して、再生終了後、再生完了応答をコンテンツ再生装置に送信する（ステップＳ５）。
【００５４】
電波受信部２４０は、携帯端末１００から再生完了応答を受信すると、楽曲制御部２５０に再生完了応答を出力する。楽曲制御部２５０は、電波受信部２４０から再生完了応答を入力すると、電波送信部２３０に対して楽曲情報取得要求の送信指示を出力する。電波送信部２３０は、楽曲制御部２５０からの指示に応じて、楽曲情報取得要求を携帯端末１００に送信する（ステップＳ６）。
【００５５】
コンテンツ再生装置２００から楽曲情報取得要求を受信すると、携帯端末１００は、コンテンツ再生装置からの要求に応じて、先ほど一時的に再生した楽曲データに対応する楽曲情報をコンテンツ再生装置に送信する（ステップＳ７）。
【００５６】
電波受信部２４０は、携帯端末１００から楽曲情報を受信すると、楽曲制御部２５０に楽曲情報を出力する。楽曲制御部２５０は、電波受信部２４０から入力した楽曲情報から、携帯端末１００において一時的に再生された楽曲データのトラック名を取得する（ステップＳ８）。
【００５７】
トラック名の取得後、楽曲制御部２５０は、携帯端末１００から取得したトラック名に割り当てられている楽曲リスト上のトラック番号と、ユーザにより選択されたトラック名に割り当てられている楽曲リスト上のトラック番号とを比較して、曲送りまたは曲戻り回数を算出する処理を実行する（ステップＳ９）。具体的には、楽曲制御部２５０は、ユーザにより選択されたトラック名に割り当てられている楽曲リスト上のトラック番号から、携帯端末１００から取得したトラック名に割り当てられている楽曲リスト上のトラック番号を減算する。そして、減算の結果得られる減算値が、正の値である場合には曲送りすべきものと判定するとともに、減算値の絶対値に対応する数を曲送り回数として算出する。一方、減算の結果得られる減算値が、負の値である場合には曲戻りすべきものと判定するとともに、減算値の絶対値に対応する数を曲戻り回数として算出する。
【００５８】
曲送りまたは曲戻り回数の算出後、楽曲制御部２５０は、電波送信部２３０に対して、算出された回数分だけ携帯端末１００に曲送りまたは曲戻りを実行させるための曲戻り／曲送りコマンドの送信指示を出力する。電波送信部２３０は、楽曲制御部２５０からの指示に応じて、曲送り／曲戻りコマンドを携帯端末１００に送信する（ステップＳ１０）。
【００５９】
携帯端末１００は、コンテンツ再生装置２００から受信するコマンドに応じて、曲送りまたは曲戻りを実行して（ステップＳ１１）、曲送りまたは曲戻りが完了すると、コマンド完了応答をコンテンツ再生装置２００に送信する（ステップＳ１２）。
【００６０】
電波受信部２４０は、携帯端末１００からコマンド完了応答を受信すると、楽曲制御部２５０にコマンド完了応答を出力する。楽曲制御部２５０は、電波受信部２４０からコマンド完了応答を入力すると、携帯端末１００に実行させる曲送りまたは曲戻りに必要な回数分だけコマンドを送信したか否かを判定する（ステップＳ１３）。判定の結果、必要な回数分コマンドを送信していない場合には（ステップＳ１３否定）、上述したステップＳ１０に戻って、携帯端末１００に曲送り／曲戻りコマンドを送信する。
【００６１】
一方、判定の結果、必要な回数分コマンドを送信している場合には（ステップＳ１３肯定）、楽曲制御部２５０は、携帯端末１００においてユーザ選択トラックが現に再生準備された状態にあるはずなので、電波送信部２３０に対して再生要求送信指示を出力する。電波送信部２３０は、楽曲制御部２５０からの指示に応じて、楽曲データの再生要求を携帯端末１００に送信する（ステップＳ１４）。
【００６２】
携帯端末１００は、コンテンツ再生装置２００から再生要求を受信すると、現に再生準備されている楽曲データを再生し（ステップＳ１５）、再生データおよび対応する楽曲情報をコンテンツ再生装置２００に送信する（ステップＳ１６）。そして、携帯端末１００は処理を終了する。
【００６３】
電波受信部２４０は、携帯端末１００から再生データおよび楽曲情報を受信すると、楽曲制御部２５０に再生データおよび楽曲情報を出力する。楽曲制御部２５０は、再生データおよび楽曲情報を電波受信部２４０から入力すると、コンテンツ再生装置２００の楽曲再生部２７０に再生データを出力すると同時に、コンテンツ再生装置２００の表示制御部２６０に楽曲情報を出力する。そして、楽曲制御部２５０は、楽曲情報からトラック名を取得して、ユーザ選択トラックのトラック名と一致するか否かを確認する（ステップＳ１７）。そして、楽曲情報の確認後、楽曲制御部２５０は、楽曲再生部２７０にミュート解除指示を出力する。
【００６４】
楽曲再生部２７０は、楽曲制御部２５０から再生データを入力すると、ミュート解除指示があるまでミュート状態で待機する。そして、楽曲制御部２５０からミュート解除指示を入力すると、スピーカを介して、楽曲制御部２５０から入力していた再生データを出力する（ステップＳ１８）。表示制御部２６０は、楽曲制御部２５０から再生データの楽曲情報を入力すると、楽曲情報からトラック名（楽曲Ｃ）およびアーティスト情報（ＹＹＹ）を取得して、オーディオ画面上の所定の箇所に挿入し、ディスプレイ３００に表示出力する（ステップＳ１８、図５参照）。そして、コンテンツ再生装置２００は処理を終了する。
【００６５】
［実施例１による効果］
上述してきたように、実施例１によれば、携帯端末１００から楽曲リストを取得し、トラック名の選択をユーザから受け付けると、携帯端末１００に楽曲データの一時的な再生要求を送信して、携帯端末１００において現に再生準備されている楽曲データのトラック名を取得する。次に、ユーザにより選択されたトラック名が記述された楽曲リスト上の位置と、携帯端末１００から取得したトラック名が記述された楽曲リスト上の位置との比較結果から、ユーザにより選択されたトラックに至るまでの曲送りまたは曲戻りの回数を算出し、算出された前記回数分だけ曲送りまたは曲戻りを実行するように携帯端末１００に指示するコマンドを送信する。そして、コマンドの実行が完了した旨を携帯端末１００から受信した場合に、楽曲データの再生要求を携帯端末１００に送信する。このようなことから、ユーザに対して、聞きたい曲にたどり着くまでトラックアップ／ダウンの操作を繰り返し実行させる必要がなく、ユーザにとって簡易な選曲操作を実現できる。
【００６６】
また、実施例１によれば、ユーザにより選択されたトラックの再生データが出力可能となるまでミュート状態を維持するので、万が一誤った曲が出力されることを防止できる。
【００６７】
また、実施例１によれば、トラック番号の減算により、楽曲データの曲送り／曲戻り回数を簡易に算出できる。
【００６８】
また、実施例１によれば、Bluetooth（ブルートゥース：登録商標）などの規格に基づいて無線接続される装置間に適用できるので、既存技術を有効に利用しつつ、ユーザにとって簡易な選曲操作を実現できる。
【００６９】
また、上記の実施例１では、無線接続された装置間で楽曲データの選曲を簡易に実現する場合を説明したが、本発明はこれに限定されるものではなく、既存技術により無線接続された装置間でやり取り可能な動画像データなどのコンテンツを選択する場合についても同様に適用することができる。
【００７０】
また、上記の実施例１によれば、携帯端末１００とコンテンツ再生装置２００とを連携させて、ユーザによる選曲を簡易に実現できる連携システムを得ることが可能である。
【実施例２】
【００７１】
さて、これまで本発明に係るコンテンツ再生装置の一実施形態として実施例１を説明してきたが、本発明は上述した実施例以外にも、種々の異なる形態にて実施されてよいものである。そこで、以下では、本発明に含まれる他の実施形態について説明する。
【００７２】
（１）装置構成等
上述してきた実施例において、図２に示したコンテンツ再生装置２００の各構成要素は機能概念的なものであり、必ずしも物理的に図示の如く構成されていることを要しない。すなわち、コンテンツ再生装置２００の分散・統合の具体的形態は図示のものに限られず、例えば、電波送信部２３０、電波受信部２４０、楽曲制御部２５０および表示制御部２６０を統合するなど、その全部または一部を、各種の負荷や使用状況などに応じて、任意の単位で機能的または物理的に分散・統合して構成することができる。さらに、コンテンツ再生装置２００にて行なわれる各処理機能（例えば、図６および図７等参照）は、その全部または任意の一部が、ＣＰＵおよび当該ＣＰＵにて解析実行されるプログラムにて実現され、あるいは、ワイヤードロジックによるハードウェアとして実現され得る。
【００７３】
（２）コンテンツ再生方法
上記の実施例で説明したコンテンツ再生装置２００により、以下のようなコンテンツ再生方法が実現される。
【００７４】
すなわち、無線接続された携帯端末から、当該携帯端末が記憶しているコンテンツのコンテンツリストを取得するリスト取得ステップと（例えば、図６のステップＳ２〜Ｓ６参照）、リスト取得ステップにより取得されたコンテンツリストの中から、再生要求コンテンツを示すトラック名の選択をユーザから受け付けるトラック選択受付ステップと（例えば、図７のステップＳ１参照）、携帯端末にコンテンツの一時的な再生要求を送信して、当該携帯端末において現に再生準備されているコンテンツのトラック名を特定するトラック特定ステップと（例えば、図７のステップＳ４〜Ｓ８参照）、トラック選択受付ステップにより受け付けられた再生要求コンテンツを示すトラック名が記述されたコンテンツリスト上の位置と、トラック特定ステップにより特定されたコンテンツを示すトラック名が記述されたコンテンツリスト上の位置との比較結果から、再生要求コンテンツに至るまでの曲送りまたは曲戻りの回数を算出する算出ステップと（例えば、図７のステップＳ９参照）、算出ステップにより算出された回数分だけ曲送りまたは曲戻りを実行するように携帯端末に指示するコマンドを送信するコマンド送信ステップと（例えば、図７のステップＳ１０〜Ｓ１３参照）、コマンド送信ステップにより送信されたコマンドの実行が完了した旨を携帯端末から受信した場合に、再生要求コンテンツの再生要求を携帯端末に送信する再生要求送信ステップと（例えば、図７のステップＳ１４参照）を含んだコンテンツ再生方法が実現される。
【産業上の利用可能性】
【００７５】
以上のように、本発明に係るコンテンツ再生装置、コンテンツ再生方法およびコンテンツ再生システムは、無線接続した携帯端末から、携帯端末上で処理されている楽曲再生データを取得してスピーカから出力するとともに、トラック名やアーティスト名などの楽曲情報をディスプレイに表示することに有用である。そして、特に、ユーザにとって簡易な選曲操作を実現することに適する。また、本発明に係るコンテンツ再生装置を車載用として構成することもできる。この場合、車内において簡易な選曲操作が実現できるので、狭い車両空間内で座席に座り、動作姿勢が制限される乗車者にとって特に有用である。また、携帯端末において、複数回の送り又は戻りにより選択される情報であれば、楽曲の他、映像やコマンドなど、どのようなコンテンツにも適用可能である。
【符号の説明】
【００７６】
１００  携帯端末
２００  コンテンツ再生装置
２１０  楽曲リスト記憶部
２２０  端末探索部
２３０  電波送信部
２４０  電波受信部
２５０  楽曲制御部
２６０  表示制御部
２７０  楽曲再生部
３００  ディスプレイ
４００  スピーカ
【図１】
2010191111.tif 000003
【図２】
2010191111.tif 000004
【図３】
2010191111.tif 000005
【図４】
2010191111.tif 000006
【図５】
2010191111.tif 000007
【図６】
2010191111.tif 000008
【図７】
2010191111.tif 000009